Podtech/llm-jp-corpus-v4-ja_patent huggingface dataset:
(57)【要約】
【課題】　特に構造を複雑化したり使用感を損なうことなく、簡便に事情に応じて高さを変えられるような枕を提供する。
【解決手段】　互いに厚さの異なる２個の略長方形状枕体Ａ、Ｂをセットに揃えて、本考案の高さを変えられる枕とする。また２個の略長方形状枕体Ａ、Ｂそれぞれの端部において、互いに両者を着脱自在に連結できる止具１を設ける。
【選択図】　図１
0003100290.tif 000002
【実用新案登録請求の範囲】
【請求項１】
　互いに厚さの異なる２個の略長方形状枕体のセットからなることを特徴とする高さを変えられる枕。
【請求項２】
　２個の略長方形状枕体それぞれの端部において、互いに両者を着脱自在に連結できる止具を設けた請求項１記載の高さを換えられる枕。
【考案の詳細な説明】
【考案の詳細な説明】
【技術分野】
【０００１】　この考案は、必要に応じ高さを段階的に変えて使用することのできる枕に関するものである。
【背景技術】
【０００２】　枕は一日の三分の一の間使用するものであるだけに、その使用感の改善を求めて従来より様々な工夫がなされてきたことは周知の通りである。特に枕の高さについては人それぞれによって適性水準が異なるため、通常は自分に合った高さの枕をその都度選んで購入、使用し、また途中で高さを変えたい場合も、各自つぎ足しなど工夫するか、或いは取り替えるしかないのが現状である。
【考案が解決しようとする課題】
【０００３】　このような現状において、特に構造を複雑化し使用感を損なうことなく、簡便に事情に応じて高さを変えられる枕を提供することを本考案の課題とする。
【課題を可決するための手段】
【０００４】　図１に示すように、互いに厚さの異なる２個の略長方形状枕体Ａ、Ｂをセットに揃えて、本考案の高さを変えられる枕とする。
【０００５】　この際、それぞれ２個の略長方形状枕体Ａ、Ｂの端部において、互いに両者を着脱自在に連結できる止具１を設けると一層良い。こうすることにより、両者は図２又は図３のような形態にして安定維持することができる。
【０００６】　着脱自在の止具１としては、マジックテープの呼称で知られた面状ファスナーやホック、ボタン、結び紐などが挙げられる。
【０００７】　なお本考案では略長方形状枕体として最もシンプルな形状を図示したが、実際には中央部に凹所を形成したり、或いは２本の詰め物入り中袋を挿入するなど、必要に応じ様々な形態が有り得ることは勿論である。
【作用】
【０００８】　本考案はこのような構成であるから、これを使用する際に、例えば略長方形状枕体Ａ、Ｂのうち薄い方のみ枕として使用すれば最も低く、厚い方のみ使用すれば中位となり、更に、２個の略長方形状枕体Ａ、Ｂを図２のように重ねて使用すれば、その高さは両者の厚みの和となり最も高くなって、３段階の高さに使い分けることができる。
【考案を実施するための最良の形態】
【０００９】　共に縦横寸法が約４０ｃｍ×６０ｃｍの２個に分断された一対の枕において、片方の高さを約２ｃｍ、他方の高さを約４ｃｍとなるように形成する。但しそれらの高さは必ずしも均一とは限らず、例えばそれら枕体全体を覆う外袋とその中に入れる２本の中袋より形成し、その中袋内に低反発フォーム（チップ）、ミニコルマ、ソフトパイプなどの適宜充填物を収納してもよい。その際、中央部には凹所が形成され、或いは中袋の移動を妨げるための縫合部を設けたり、更には側外方に各種のオプション機能材を入れるポケットを設けることなどもあり得る。【００１０】　上記の一対の枕の外袋の縁部におけるそれぞれ対応する箇所に通称マジツクテープを縫い付け、着脱自在に両者を一体に連結（付着）できるようにする。また別の縁部に中袋或いは充填物を入れるためのファスナー口を設ける。更に必要に応じ、中袋充填物にはラベンダーなどのハーブシート、或いはトルマリンシートなどの機能ないし好感材料を用い、側地はキシリトール加工とする。なお、本考案はかかる例に限定されるものではない。
【考案の効果】
【００１１】　このように本考案によれば、個々のユーザーに合わせ枕を３通りの高さに変えて選択することができ、また洗ったり干したりする際や運搬や保管などのときにも、それぞれの状況に応じて任意の適した形態に連結したり分割して行えるなどの効果がある。
【図面の簡単な説明】
【図１】本考案一例の見取図
【図２】本考案一例の別形態の見取図
【図３】本考案一例の更に別形態の見取図
【符号の説明】
　　　Ａ、Ｂ……略長方形状袋体
　　　１……止具
【図１】
0003100290.tif 000003
【図２】
0003100290.tif 000004
【図３】
0003100290.tif 000005
(57)【要約】
【課題】部品点数が少なく製作が容易であり、したがってコストもかからず、巻テープ体の取替えも簡単にでき、携帯に便利な上、装飾性に優れ、またリサイクルにも適したテープカッター
【解決手段】一枚の平板を打ち抜き成形し、一方に巻テープ体２を回転自在に保持する巻テープ体保持部３を設け、他方にテープを切断する刃部１を形成してあり、保持部３は、横方向に突設した保持片７が巻テープ体２の芯枠６内に突入して巻テープ体２を保持し、刃部１が、板の先端に鋸刃を形成してなるテープカッター。さらに刃部に保護枠１２を設けてなるテープカッター。
【選択図】図１
0003100289.tif 000002
【実用新案登録請求の範囲】
【請求項１】
一枚の平面板の一方端にテープを切断する刃部、そして他方端側に巻テープ体を保持する巻テープ体保持部が打抜き成形にて形成してなり、刃部が、横方向に突設した片の上縁に鋸刃状の刃を有し、巻テープ体の保持部が、刃部と間隔を有して同じく横方向に突設し、巻テープ体の芯枠内に進入して巻テープ体を保持する保持片からなることを特徴とするテープカッター。
【請求項２】
巻テープ体の保持片の下側縁の端部が下方にわずか突出してなることを特徴とする請求項１に記載のテープカッター。
【請求項３】
刃部の上方にわずかの間隔を有して保護片が横方向に突出してなることを特徴とする請求項１あるいは２に記載のテープカッター。
【考案の詳細な説明】
【技術分野】
【０００１】
　本考案は粘着テープ等のテープカッターに関するものである。
【背景技術】
【０００２】
　従来のテープカッターは、テープを切断する刃を備える載置式のテープカッター本体に、ロール状の巻テープ体を回転自在にリールに装着したもの、巻テープ体に刃を取付けてある。使用する時にはテープ端を引張り、巻テープ体からテープを剥離しながら必要長さのテープを引出して備えられた刃にて切断している。
【特許文献１】特開２００３−０８９４６７
【特許文献２】特開２００３−１４６５２９
【考案の開示】
【考案が解決しようとする課題】
【０００３】
　従来のテープカッターは、巻テープ体を回転させるためのリール、据置くための本体あるいは引出したテープを切断するための刃等を別体にて構成するため部品点数が多く、製作、組立てコストが掛る。また、巻テープ体の取替えも、リールを本体から取外し、巻テープ体の交換を行わねばならず手間が掛った。また、据置き式のものは安定させるために重量を有しかつ嵩張ってしまい携帯に不向きである。さらに巻テープ体に刃を取付け使用する方式のものは、引出したテープの粘着面が置いた机面等に付着してしまう不都合を有しており、したがって携帯に不向きである。さらには巻テープ体の使用完了後に付属する金属製の刃が残りそのまま廃棄されており、資源の無駄遣いとなっている。
【課題を解決するための手段】
【０００４】
　そこで本考案は、平坦な一枚の平板の成形にて製作し、当然に部品点数が少なく製作が容易であり、したがってコストもかからず、巻テープ体の取替えも簡単にでき、携帯に便利な上、装飾性に優れ、またリサイクルにも適したテープカッターを提供するものである。使用する素材は、プラスチックの他に金属、木材、紙、ガラス等が考えられる。
【０００５】
　そのために、本考案は、一枚の平板にて成形し、一方に巻テープ体を回転自在に保持する巻テープ体保持部を設け、他方にテープを切断する刃部を形成した簡単な構成とした。巻テープ体は、ドラム状の紙製筒を芯枠としてその周面にテープを巻回したものが市販されている。保持部は、横方向に突設した片を巻テープ体の芯枠内に進入させて巻テープ体を保持する。刃部は、同じく横方向に突設させた片の上縁に鋸刃を形成した。刃部と保持部とは間隔を有して同一横方向に突設されている。さらに刃部の上方に平行にわずかの間隔を有して保護枠を設けてある。
【考案の効果】
【０００６】
　本考案によれば、一枚の板を1回の成形で製作できるので製造コストが掛らない。そして平面な一枚板からなるので嵩張らずかつ軽量であるので、輸送が容易であり、収納および陳列に場所を取らず、また携帯に便利なものとなっている。
　そして、巻テープ体を交換する際にも、リールを使用していないので、そのリールの取外し作業がなく、容易に短時間でテープ交換が可能である。さらに単一素材からなるので使用完了後のリサイクルに適している。
【考案を実施するための最良の形態】
【０００７】
　本考案テープカッターは、長方形のプラスチックスの平面板を打抜き成形してなり、一方端ａに刃部１を横方向に突設してありその上縁に鋸刃状の刃を形成してある。他方端側ｂには刃部１と間隔を有して、ロール状に巻いた巻テープ体２（一点鎖線で示す）の保持部３を同様に横に突設して形成してある。保持部３は、下側縁の端部をわずか凸設させて巻テープ体２の一側の厚さが進入できる幅の切欠口４を形成し、内部にその口部より広い幅の巻テープ体の収納溝５を形成してある。巻テープ体２は、芯枠６内に保持部の突設部である保持片７が進入して保持部に固定される。
【０００８】
　使用する時は、巻テープ体２の一側を切欠口４よりテープ収納溝２に挿入し、芯枠６の内部に保持片７が位置するようにして巻テープ体２をテープカッターに固定する。貼着は、巻テープ体２よりテープ２ａの端部を引き剥がして貼着に必要とする長さ分引出して、テープカッターの一端側の刃部１の刃で切断する。あるいは接着対象物に貼り付けながらテープを引出し、対象物の接着終端で刃部１を立てて切断する。
　不使用時には、テープ端を巻テープ体２との間で緊張するように引き出した状態で刃部１の表側に貼り付けておく。これにより巻テープ体２は刃部１の方向に引き付けるられて切欠口４より幅広の収納溝５内で保持部方向に引き付けられかつ凸部３ａにて側方が係止され脱落しない。
【０００９】
　本考案は一枚の板からなる簡単な構造であり、製作および取扱いが容易であり、軽量かつ嵩張らず胸のポケットなどに入れることができ携帯性が良い。また、デザインも良く装飾品としても使用できる。
　さらにまた、テープカッターを裏返しかつ巻テープ体も裏返すことで使用者の利き手に対応させる使用も可能である。
【実施例】
【００１０】
　前記最良の形態の別の実施例を図３に示す。最良の形態と同一構成とし、刃部１１の外側に保護枠１２を形成した。これにより刃部１１が露出せず安全性を高めることができる。
【図面の簡単な説明】
【００１１】
【図１】本考案の最良の形態の平面図
【図２】使用状態の斜視図
【図３】実施例の平面図
【符号の説明】
【００１２】
１　　　刃部
２　　　巻テープ体
２ａ　　テープ
３　　　保持部
４　　　切欠口
５　　　収納溝
６　　　芯枠
７　　　保持片
１２　　保護枠
【図１】
0003100289.tif 000003
【図２】
0003100289.tif 000004
【図３】
0003100289.tif 000005
(57)【要約】
【課題】　加重に対する本体の強度を高めることにより、使用中における変形や破裂を防ぎ、さらには携帯や収納面で高い利便性を発揮することができる正座用枕を提供する。
【解決手段】　正座をする際に使用される正座用枕１であって、給気口３を有する中空状の枕本体２と、枕本体２の内部中央に形成され枕本体２の上面４と下面５との間に跨設された筒状体６と、筒状体６に穿孔された通気孔７とを備えていることを特徴とする。
　また、枕本体２の側面周囲がカバー材１０で被覆されていてもよい。
【選択図】　　　図１
0003100281.tif 000002
【実用新案登録請求の範囲】
【請求項１】
　正座をする際に使用される正座用枕であって、給気口を有する中空状の枕本体と、該枕本体の内部中央に形成され該枕本体の上面と下面との間に跨設された筒状体と、該筒状体に穿孔された通気孔とを備えていることを特徴とする正座用枕。
【請求項２】
　前記枕本体の側面周囲がカバー材で被覆されている請求項１記載の正座用枕。
【考案の詳細な説明】
【技術分野】
【０００１】
　本考案は、正座をする際に使用される正座用枕であって、特に、携帯や収納面における高い利便性と、着座時に優れた強度を発揮することができる正座用枕に関する。
【背景技術】
【０００２】
　従来より、カバンやバッグ等に収容して容易に持ち運ぶことができ、いずれの場所においても簡便に利用することを可能となすとともに、使用時に他人の目に触れにくく、さらに使用する各人の体型に自在に適合させることを可能となす正座用の座まくらがある（例えば、特許文献１参照）。
【特許文献１】実開平５−８８３６０号公報（第１−２頁、図１、図２）
【考案の開示】
【考案が解決しようとする課題】
【０００３】
　上掲特許文献１記載の座まくらは、仕切り板を介して上下にそれぞれ吸入口が設けられた膨縮可能な第１及び第２の空気室が形成されたまくら本体を備え、上記まくら本体は、前端側を先細り状となされ、上面側に前後方向に亘って一対の凹条部が並列して形成されるとともに、相対向する側面に凹湾部が形成されている構成である。そのため、使用時に良好な装着感が得られるとされているが、反面、強度面に問題があり、着座時に本体が変形したり破裂するという虞があった。また、複数の凹湾部や吸入口を備えるため、製造工程が多くコストアップに繋がるという欠点もあった。
【０００４】
　そこで本考案の目的は、上記した従来技術の問題点に鑑み、加重に対する本体の強度を高めることにより、使用中における変形や破裂を防ぎ、さらには携帯や収納面で高い利便性を発揮することができる正座用枕を提供することにある。
【課題を解決するための手段】
【０００５】
　上記課題を有利に解決する本考案の正座用枕は、正座をする際に使用される正座用枕であって、給気口を有する中空状の枕本体と、該枕本体の内部中央に形成され該枕本体の上面と下面との間に跨設された筒状体と、該筒状体に穿孔された通気孔とを備えていることを特徴とする。また、前記枕本体の側面周囲をカバー材で被覆してもよい。
【考案の効果】
【０００６】
　以上説明してきたように、本考案の正座用枕は、上述の構成とすることで以下に示す効果を奏するものである。
　即ち、中空状の枕本体の内部中央に、通気孔を穿孔した筒状体を跨設したことで、上部からの加重に優れた強度を発揮することができる。また全体が中空状に形成されているので、本体内部の空気を排出させることにより携帯や収納面での高い利便性が得られる。
【０００７】
　さらに、枕本体の側面周囲をカバー材で被覆することにより、本体側面部分の強度が高まり使用中の変形や破裂を防ぐことができる。
【考案を実施するための最良の形態】
【０００８】
　以下、本考案の正座用枕の実施の形態を図面に基づいて説明する。
　図示する正座用枕１は、正座の際に臀部の下方に敷設される座枕であり、特に、法事や葬式等に長時間正座を行う際に好適に使用することができる。かかる正座用枕１は、給気口３を有する中空状の枕本体２と、枕本体２の内部中央に形成される、本体の上面４と下面５との間に跨設された筒状体６と、筒状体６に穿孔された通気孔７とで構成されている。
【０００９】
　枕本体２は、図５に示すように、臀部の下方に好適に敷設できるように肉厚の楕円形状を呈している。また、枕本体２は、薄状の合成樹脂シート、例えば塩化ビニル樹脂等の軟質素材からなり、給気口３より空気を注入することにより膨張する中空状に形成されている。さらに、図４に示すように、給気口３を操作して枕本体２を押圧させることで、容易に内部の空気を排出させることができ、平板状に折り畳むことが可能となる。
【００１０】
　筒状体６は、好ましくは枕本体２と同様の素材で形成され、図２の（ａ）及び（ｂ）に示すように、枕本体２の内部中央に配設され、本体２の上面４と下面５との間に跨設されている。また、筒状体６の上端部８は湾曲された状態で本体上面４の中央に、下端部９も同様に本体下面５の中央に突出されている。さらに、筒状体６の端部は、熱融着または接着剤等により本体の上面４と下面５に固着されている。
【００１１】
　また、筒状体６の側面には通気孔７が穿孔されている。通気孔７は側面に少なくとも１か所、好ましくは２か所穿孔されている。かかる通気孔７を設けることにより、枕本体２内部と筒状体６内部との通気ができ、正座用枕１全体の膨縮が可能となる。筒状体６を枕本体２内に設けることにより、上部からの加重に高い強度が得られる。
【００１２】
　また、他の好適例として、図３に示すように、枕本体２の側面周囲にカバー材１０を被覆させてもよい。かかるカバー材１０は、適宜の強度を有する織布または不織布からなり、一部には給気口３用の開口部１１が設けられている。カバー材１０を枕本体２の側面周囲に被覆させることで、本体側面部分の強度が高まり使用中の変形や破裂を防ぐことができる。さらに、着座中、枕本体２がズレたり滑ったりすることも防止できる。
【００１３】
　なお、図６に示すように、筒状体６を楕円形状としたり、図７に示すように角状に形成してもよい。さらに、枕本体２の全体形状も任意に変更できることは言うまでもない。
【図面の簡単な説明】
【００１４】
【図１】本考案の正座用枕の全体斜視図である。
【図２】（ａ）は図１におけるＡ−Ａ線断面図、（ｂ）はＢ−Ｂ線断面図である。
【図３】枕本体の周囲をカバー材で被覆した状態を表す斜視図である。
【図４】枕本体内の空気を排出させた状態を表す説明図である。
【図５】本考案の正座用枕の使用状態を表す説明図である。
【図６】本考案の他の好適例である楕円形状の筒状体を備えた正座用枕の全体斜視図である。
【図７】本考案の他の好適例である角状の筒状体を備えた正座用枕の全体斜視図である。
【符号の説明】
【００１５】
１　正座用枕
２　枕本体
３　給気口
４　上面
５　下面
６　筒状体
７　通気孔
８　上端部
９　下端部
１０　カバー材
１１　開口部
【図１】
0003100281.tif 000003
【図２】
0003100281.tif 000004
【図３】
0003100281.tif 000005
【図４】
0003100281.tif 000006
【図５】
0003100281.tif 000007
【図６】
0003100281.tif 000008
【図７】
0003100281.tif 000009
(57)【要約】　　　（修正有）【課題】非接触で厚みを測定する。【解決手段】ＵＳＢ等のデジタル出力でパソコン等に直接入力する変位センサーヘッド２個をアームの両端に対向させてセットする。それぞれのセンサーの測定可能範囲を交差させて、厚みが既知である測定対象物をセンサーの間にいれてパソコン等で双方のセンサーの測定対象物までの距離を計算し、ゼロ点を算出することにより正確な厚み測定が可能になる。接触式では正確に測れない軟らかい測定対象物や、キズをつけてはいけない対象物の厚みを測定することができ、パソコン等でソフト的に簡単に距離の補正ができるのでアームの形状も可変することが可能になる。【選択図】図１
0003100251.tif 000002
【実用新案登録請求の範囲】
【請求項１】
　デジタル出力でパソコンに直接入出力する光電反射型変位センサーを対向させ、物体の厚みをパソコンやマイコン機器で計算させて測定する装置
【考案の詳細な説明】
【技術分野】
【０００１】　本考案は、デジタル出力でパソコンに直接入力する変位センサーヘッドを利用した非接触の厚み測定器に関するものである。
【背景技術】
【０００２】　従来の厚み測定は接触式のノギスやマイクロメーターを使用した。また工場の生産ラインなどではアナログ出力の光電反射センサーを精密に配置し、高度に専用化された制御機器で厚みを検出していた。
【考案の開示】
【考案が解決しようとする課題】
【０００３】　物体の厚みを正確に簡便に測定するにはノギスやマイクロメーターを使用しているが、いずれも接触式であり対象物によっては使用できない。また物体の中央部の厚みはマイクロメーターで測定しているが対象物の形状によっては測定できないものがある。
【課題を解決するための手段】
【０００４】　本考案は、デジタル出力でパソコンに直接入出力する変位センサーヘッドを対向させ、双方のセンサーから測定対象物までの距離をパソコン等で計算させることによって非接触で厚みを測定する。
【考案の効果】
【０００５】　本考案により、接触式では正確に測れない軟らかい測定対象物や、キズをつけてはいけない対象物の厚みを測定することができる。またパソコン等でソフト的に簡単に距離の補正ができるのでアームの形状も可変することが可能になる。
【考案の実施するための最良の形態】
【０００６】　ＵＳＢ等のデジタル出力でパソコン等に直接入力する変位センサーヘッド２個をアームの両端に対向させてセットする。それぞれのセンサーの測定可能範囲を交差させて、厚みが既知である測定対象物をセンサーの間にいれてパソコン等で双方のセンサーの測定対象物までの距離を計算し、ゼロ点を算出することにより正確な厚み測定が可能になる。
【実施例】
【０００７】　以下、添付図面に従って一実施例を説明する。１と３はＵＳＢで出力する光電反射型変位センサーであり、６のアームにより対向して固定されている。８はレーザー等の光の投光窓、９は反射光の受光窓、４はＵＳＢの出力部である。【０００８】　投光窓から照射された光線は２の厚み測定対象物に反射し受光窓からセンサーの受光部に入り内部回路でＵＳＢインターフェース信号に変換され出力される。それぞれ５と７のＵＳＢケーブルを通してパソコン等に入力する。【０００９】　それぞれのセンサーの変位量をパソコン等で計算し、測定対象物の厚みを計算し表示する。
【図面の簡単な説明】
【００１０】
【図１】本考案の非接触厚み測定器の一実施例を示す図である
【符号の説明】
【００１１】　　　１　ＵＳＢ出力の光電反射型変位センサー
　　　２　厚み測定対象物
　　　３　ＵＳＢ出力の光電反射型変位センサー
　　　４　ＵＳＢ出力部
　　　５　ＵＳＢケーブル
　　　６　アーム
　　　７　ＵＳＢケーブル
　　　８　投光窓
　　　９　受光窓
【図１】
0003100251.tif 000003
(57)【要約】　　　（修正有）【課題】平面に対する光の照射面の光の形状として四角形あるいは三角形の形状を得る。【解決手段】ダイクロイックミラー付ハロゲンランプのダイクロイックミラーを四角錐形あるいは三角錐形とすることにより、平面に対する光の照射面の光の形状として四角形の形状あるいは三角形の形状を得る事が可能となる。【選択図】図１
0003100258.tif 000002
【実用新案登録請求の範囲】
【請求項１】
　ダイクロイックミラーの形状が四角錐形である事を特徴とするダイクロイックミラー付ハロゲンランプ。
【請求項２】
　ダイクロイックミラーの形状が三角錐形である事を特徴とするダイクロイックミラー付ハロゲンランプ。
【考案の詳細な説明】
【技術分野】
【０００１】
　本考案は、照明器具に使用される光源である、ダイクロイックミラー付ハロゲンランプに関するものである。
【背景技術】
【０００２】
　ダイクロイックミラー付ハロゲンランプのダイクロイックミラーは、点光源から拡散する光に指向性を持たせる事を目的とする物品であるが、近年は光源となるハロゲンランプとダイクロイックミラーを一体化させたダイクロイックミラー付ハロゲンランプとして一般的に製造され使用される。
【０００３】
　しかし、現状において一般的に製造され使用されているダイクロイックミラー付ハロゲンランプはいずれも前面が円形をしている為に、平面に対して垂直に光を照射した場合の照射面の光の形状はいずれも円形をしており、これには従来のダイクロイックミラー付ハロゲンランプでは平面に対する光の照射面の光の形状として四角形あるいは三角形の形状を得る事が出来ないという欠点がある。
【考案の開示】
【考案が解決しようとする課題】
【０００４】
　解決しようとする問題点は、従来のダイクロイックミラー付ハロゲンランプでは平面に対する光の照射面の光の形状として四角形あるいは三角形の形状を得る事が出来ないという点である。
【課題を解決するための手段】
【０００５】
本考案は、ダイクロイックミラー付ハロゲンランプのダイクロイックミラーを四角錐形とすることにより、平面に対する光の照射面の光の形状として四角形の形状を得る事が出来るダイクロイックミラー付ハロゲンランプを提供する事、ならびにダイクロイックミラー付ハロゲンランプのダイクロイックミラーを三角錐形とすることにより、平面に対する光の照射面の光の形状として三角形の形状を得る事が出来るダイクロイックミラー付ハロゲンランプを提供する事を最も主要な特徴とする。
【考案の効果】
【０００６】
ダイクロイックミラー付ハロゲンランプのダイクロイックミラーを四角錐形とすることにより、平面に対する光の照射面の光の形状として四角形の形状を得る事が出来る効果がある。
【０００７】
あるいは、ダイクロイックミラー付ハロゲンランプのダイクロイックミラーを三角錐形とすることにより、平面に対する光の照射面の光の形状として三角形の形状を得る事が出来る効果がある。
【０００８】
また、従来のダイクロイックミラー付ハロゲンランプとして分類される物品群に、独特の形状を持つ本考案のダイクロイックミラー付ハロゲンランプを加える事により、ダイクロイックミラー付ハロゲンランプに分類される物品群全体に形状の多様性を付与し、結果としてダイクロイックミラー付ハロゲンランプとして分類される物品群全体の装飾的利用性を向上させる効果がある。
【０００９】
また、本考案のダイクロイックミラー付ハロゲンランプの三角錐形や四角錐形といった形状を利用することにより、ダイクロイックミラー付ハロゲンランプを使用する照明器具本体に対してその意匠の多様性を増大させる事が出来る。
【考案を実施するための最良の形態】
【００１０】
　本考案のダイクロイックミラー付ハロゲンランプを使用した照明器具の例を示す。
【実施例１】
【００１１】
　天井に取り付けるペンダント型照明器具用のランプとして四角錐形ダイクロイックミラー付ハロゲンランプを使用する。
【実施例２】
【００１２】
　天井に取り付けるアームスポット型照明器具用のランプとして四角錐形ダイクロイックミラー付ハロゲンランプを使用する。
【図面の簡単な説明】
【００１３】
【図１】四角錐形ダイクロイックミラー付ハロゲンランプ斜視図である。
【図２】三角錐形ダイクロイックミラー付ハロゲンランプ斜視図である。
【図３】従来形ダイクロイックミラー付ハロゲンランプ斜視図である。
【図４】本考案の四角錐形ダイクロイックミラー付ハロゲンランプを使用するペンダント型照明器具の例を示した図である。（実施例１）
【図５】本考案の四角錐形ダイクロイックミラー付ハロゲンランプを使用するアームスポット型照明器具の例を示した図である。（実施例２）
【符号の説明】
【００１４】
　　１　　口金
　　２　　磁器
　　３　　ダイクロイックミラー
　　４　　ハロゲンランプ
　　５　　ペンダント形照明器具電源コード
　　６　　ペンダント形照明器具本体
　　７　　アームスポット形照明器具アーム
　　８　　アームスポット形照明器具本体
【図１】
0003100258.tif 000003
【図２】
0003100258.tif 000004
【図３】
0003100258.tif 000005
【図４】
0003100258.tif 000006
【図５】
0003100258.tif 000007
(57)【要約】
【課題】
　着用時に全身を保温する機能を有し、足部を包み込んで毛布と足部との密着性を良好にすることにより足部の保温機能を向上させるとともに、寝具の位置ずれ防止の効果が高い毛布を提供することを課題とする。
【解決手段】
　就寝者の身体を被覆し且つその足部を包むことができる長さを有する毛布本体の上に毛布を一枚重ねて取り付ける。毛布本体の上に重ねて取り付ける毛布として、一方の先端が毛布本体に取り付けられており、他方の先端を布団の下に挟み込むことができる長さを有するものを使用する。
【選択図】　図３
0003100228.tif 000002
【実用新案登録請求の範囲】
【請求項１】
　就寝者の身体を被覆するとともに、前記就寝者の足部を包むことができる毛布本体１と、
　一方の先端が毛布本体１の丈方向の１／５〜１／２の位置から取り付けられ、他方の先端を布団の下に挟み込む長さを有する毛布２と、
を備えたことを特徴とする、貼り合わせ式毛布。
【請求項２】
　毛布２をファスナーにより毛布本体１から脱着可能としたことを特徴とする、請求項１に記載の貼り合わせ式毛布。
【考案の詳細な説明】
【技術分野】
【０００１】
　この考案は、着用時に足部を包み込んで毛布と足部との密着性を良好にすることにより、足部の保温機能を向上させるとともに、寝具の位置ずれ防止の効果が高い毛布に関するものである。
【背景技術】
【０００２】
　従来から冬季等において、就寝者は、掛け布団及び毛布等の寝具を用いて温熱感を確保できるようにして就寝する。すなわち、上記の寝具を重ね掛けする方法、或いは毛布のすそ部を敷き布団の下に折り込んで足先を包むように使用する方法により、寝具の保温効果を高めている。しかしながら、身体と掛け布団との間に毛布を重ね掛けしたりした場合には、就寝者が寝返りを打つ等した際に、掛け布団や毛布と就寝者との相対的な位置がずれて、就寝者の足部等の身体の一部が寝具から露出したり、就寝者の身体が発する熱で暖められた掛け布団や毛布内側の空気が寝具外部に漏れ出してしまうことにより、就寝者が身体に寒さを覚える等した。
【０００３】
　毛布は、着用時の保温性という機能が重要視されているので、材質の面から改良され、保温性に優れた材質を使用したものが多数提供されているが、単に材質の改良だけでは上記の問題点を根本的に解決するのは困難である。
【０００４】
　上記の問題点の改善策として、毛布の一辺を折り返して、この折り返した内面の両脇に、各々スナップ１，２を設けた足温機能付き毛布が、実開平５−８６３１７において提案されている。この毛布によれば、使用者の身長に適合するように適宜折り返し位置を固定できるので、足部の保温を確実にすることができる。しかし、毛布の折り曲げ位置によっては、上半身、特に肩部に温熱感を確保することができないので、安心して就寝できず、眠りが浅くなりやすい。
【０００５】
【特許文献１】実開平５−８６３１７号公報
【考案の開示】
【考案が解決しようとする課題】
【０００６】
　本考案は、着用時に全身を保温する機能を有し、足部を包み込んで毛布と足部との密着性を良好にすることにより足部の保温機能を向上させるとともに、寝具の位置ずれ防止の効果が高い毛布を提供することを課題とする。
【課題を解決するための手段】
【０００７】
　本考案は、毛布が全身を保温する機能及び足部との良好な密着性を両立するとともに、寝具の位置ずれを防止するため、就寝者の身体を被覆し且つその足部を包むことができる長さを有する毛布本体の上に毛布を一枚重ねて取り付けたものであって、この毛布本体の上に重ねて取り付けられた毛布は、一方の先端が毛布本体に取り付けられており、他方の先端を布団の下に挟み込むことができる長さを有することを特徴とする。
【考案の効果】
【０００８】
　本考案の貼り合わせ式毛布は、全身に掛けることができると同時に足先を毛布に包むことができるので、全身、特に足先の保温効果が高い。また、外側に位置する毛布のすそを敷布団に挟み込んで使用することにより、寝返りを打った場合でも寝具の乱れを防止できるという利点がある。
【考案を実施するための最良の形態】
【０００９】
　毛布本体の一部が二枚重ね構造となるように、毛布本体の丈方向の１／２以下の部分から、２枚目の毛布を縫い付け或いは取り付ける。尚、２枚目の毛布の縫い付け位置或いは取り付け位置は、毛布本体の丈方向の１／５〜１／２の位置にすることが好ましい。また、上記２枚目の毛布として、毛布本体の幅と同じ幅を有し、取り付け後のすその先端が毛布本体のすその先端に延在する長さを有するものを使用する。また、上記２枚目の毛布としては、取り付け後のすその先端が毛布本体のすその先端から３０ｃｍ〜５０ｃｍ先に延在するものを使用することが好ましい。２枚目の毛布を毛布本体に取り付ける方法として、毛布本体に直接縫い付ける方法、或いは着脱自在になるように、金属ファスナー又はプラスチックファスナー若しくはマジックファスナー（Ｒ）等の面ファスナーのいずれかのファスナーを設け、脱着自在となるように取り付ける方法を採用することができる。更に或いは、ボタン又はホックを設けて脱着自在となるように取り付けることもできる。上述したように、止着手段を用いて上記２枚目の毛布を毛布本体から脱着自在に取り付けた場合、毛布の交換作業及び洗濯作業が容易となるだけでなく、素材或いはデザインが毛布本体とは異なるものを用途に応じて選択し、２枚目の毛布を適宜使い分けることが可能になる。
【実施例】
【００１０】
　本考案の実施例を図面に従い説明する。図１ないし図３は本考案の貼り合わせ式毛布（以下、「本考案の毛布」と略す。）の実施例を示し、図１はその斜視図、図２はその側面図の断面図、図３はその使用状態を示す断面図である。以下に、この貼り合わせ式毛布を説明する。
【００１１】
　本考案の毛布は、図１ないし図３が示すように、毛布本体１及び毛布２から成っており、それぞれの毛布は等しい幅を有している。また、毛布本体１の丈方向の中央部分において、当該毛布本体１の表面に、面ファスナー３が毛布本体１の横幅に適合する長さで縫着されている。一方、毛布２には、面ファスナー４が毛布本体２の横幅に適合する長さで縫着されている。従って、毛布本体の丈方向の１／２以下の部分から毛布が二重になるとともに、外側に位置する毛布２のすその先端が、内側に位置する毛布本体１のすその先端よりも下方に位置するようにしている。
【００１２】
　次に、本考案の毛布の使用状態を説明すると、就寝時の利用時において、まず、毛布２のすその先端部分を敷布団又はベッドのマットの下側に挟み込む。次いで毛布本体１のすその部分を自分の身長に合わせて折り返し、当該すその部分で足元を包む。尚、毛布本体１のすその部分を折り返さなければ、通常の毛布として使用することができる。
【図面の簡単な説明】
【００１３】
【図１】本考案の貼り合わせ式毛布の斜視図である。
【図２】本考案の貼り合わせ式毛布の断面図である。
【図３】本考案の貼り合わせ式毛布の使用状態を示す断面図である。
【符号の説明】
【００１４】
　　１　毛布本体
　　２　（外側）毛布
　　３　毛布本体１側の面ファスナー
　　４　毛布２側の面ファスナー
【図１】
0003100228.tif 000003
【図２】
0003100228.tif 000004
【図３】
0003100228.tif 000005
(57)【要約】
【課題】破損しやすい製品を衝撃から保護できる搬送用パレットを提供する。
【解決手段】下面デッキ１に複数個のブロック２を間隔をおいて配列し、これらのブロック２上に上面デッキ３を渡した搬送用パレットにおいて、各列の両端以外のブロック２の下部に、弾性部材９を介在させる。このようなパレットに精密機器類等の製品を載置して運搬すると、衝撃が作用したとき、弾性部材９が弾性変形して、上面デッキ３の中間部がやや撓み、上面デッキ３を介して製品に伝わる衝撃が緩和される。そして、各列の両端のブロック２には弾性部材９を介在させていないので、他のブロック２の弾性部材９の反発に伴う振動が速やかに収束し、精密機器の内部機構等が保護される。
【選択図】図１
0003100226.tif 000002
【実用新案登録請求の範囲】
【請求項１】
　下面デッキに複数個のブロックを間隔をおいて配列し、これらのブロック上に上面デッキを渡した搬送用パレットにおいて、各列の両端以外のブロックに、弾性部材を介在させたことを特徴とする搬送用パレット。
【請求項２】
　前記弾性部材を、下面デッキに当接するようにブロック下部に位置させたことを特徴とする請求項１に記載の搬送用パレット。
【請求項３】
　前記上面デッキのデッキボードを、対向するブロックの上に渡した桁板に交差させて架設したことを特徴とする請求項１又は２に記載の搬送用パレット。
【考案の詳細な説明】
【技術分野】
【０００１】
　この考案は、精密機器類等の運搬に適した搬送用パレットに関するものである。
【背景技術】
【０００２】
　一般に、各種製品の運搬に使用されるパレットとして、下面デッキに複数個のブロックを間隔をおいて配列し、これらのブロック上に上面デッキを渡した木製の平パレットが使用されている。
【考案の開示】
【考案が解決しようとする課題】
【０００３】
　しかしながら、上記のように、ブロックを含めて全体が木製のパレットでは、製品に衝撃が緩和されることなく作用して、精密機器類等の製品が破損する恐れがあった。
【０００４】
　そこで、この考案は、破損しやすい製品を衝撃から保護できる搬送用パレットを提供することを課題とする。
【課題を解決するための手段】
【０００５】
　上記課題を解決するため、この考案は、下面デッキに複数個のブロックを間隔をおいて配列し、これらのブロック上に上面デッキを渡した搬送用パレットにおいて、各列の両端以外のブロックに、弾性部材を介在させたのである。
【考案の効果】
【０００６】
　上記のようなパレットに精密機器類等の製品を載置して運搬すると、衝撃が作用したとき、弾性部材が弾性変形して、上面デッキの中間部がやや撓み、上面デッキを介して製品に伝わる衝撃が緩和される。
【０００７】
　そして、各列の両端のブロックには弾性部材を介在させていないので、他のブロックの弾性部材の反発に伴う振動が速やかに収束し、精密機器の内部機構等が保護される。
【考案を実施するための最良の形態】
【０００８】
　以下、この考案の実施形態を添付図面に基づいて説明する。
【０００９】
　図１及び図２に示すパレットは、下面デッキ１に複数個のブロック２を間隔をおいて配列し、これらのブロック２の上方に上面デッキ３を渡して、上面デッキ３だけを積載面とした片面使用形の構成とされている。
【００１０】
　下面デッキ１は、長方形の枠の長辺をなす一対の長枠板４と、短辺をなす一対の短枠板５とを接合して形成され、ブロック２は、各長枠板４の上面両端とその中間部に、フォークの差込口をなすように間隔をおいて４個ずつ配列されている。
【００１１】
　各長枠板４の対向するブロック２の上端間には桁板６が渡され、桁板６に交差させて、上面デッキ３を構成する複数枚のデッキボード７が架設されている。デッキボード７の四隅には、ストッパ８が取り付けられている。
【００１２】
　上記下面デッキ１及び上面デッキ３の各部材は木製であり、ブロック２は、四隅のものは全体が木製であるが、他のものは木製の部分の下部に弾性部材９を設けたものとされている。弾性部材９としては、ポリプロピレンの発泡材やゴムなどが使用される。
【００１３】
　上記のようなパレットに精密機器類等の製品を載置して運搬すると、衝撃が作用したとき、弾性部材９が弾性変形して、上面デッキ３のデッキボード７がやや撓み、上面デッキ３を介して製品に伝わる衝撃が緩和される。
【００１４】
　そして、各列の両端のブロック２には弾性部材９が介在していないので、他のブロック２の弾性部材９の反発に伴う振動が速やかに収束し、精密機器等の内部機構が保護され、このような製品を破損させることなく運搬することができる。
【００１５】
　なお、上記実施形態では、上面デッキ３だけを積載面とした片面使用形のものを例示したが、下面デッキ１にもデッキボードを渡して両面使用形の構成としたパレットに、上記のような緩衝構造を適用してもよい。
【００１６】
　また、弾性部材９の介在位置は、必ずしもブロック２の下部に限定されず、ブロック２の中間部や上部に弾性部材９を介在させてもよい。
【図面の簡単な説明】
【００１７】
【図１】この考案に係る搬送用パレットの組立状態を示す斜視図
【図２】同上の分解斜視図
【図３】同上の衝撃吸収時の状態を示す正面図
【符号の説明】
【００１８】
１　下面デッキ
２　ブロック
３　上面デッキ
４　長枠板
５　短枠板
６　桁板
７　デッキボード
８　ストッパ
９　弾性部材
【図１】
0003100226.tif 000003
【図２】
0003100226.tif 000004
【図３】
0003100226.tif 000005
(57)【要約】
【課題】吸着面の位置合わせの作業性と、荷役物の嵌合作業の作業性が優れた、真空吸着ハンドを提供する事を目的としている。
【解決手段】吸着パッドで荷役物を保持する真空吸着ハンドにおいて、テーパ部を有するガイド穴を設け、吸着パッドにはリングを嵌装し、吸着パッドが軸着され、嵌合作業時には該吸着パッドが揺動する。
【選択図】図２
0003100277.tif 000002
【実用新案登録請求の範囲】
【請求項１】
吸着パッドで荷役物を保持する真空吸着ハンドにおいて、テーパ部を有するガイド穴を設け、吸着パッドにはリングを嵌装し、吸着パッドは軸着され、嵌合作業時には該吸着パッドが揺動することを特徴とする真空吸着ハンド。
【考案の詳細な説明】
【技術分野】
【０００１】
　本考案は、荷役物を吸着して移載する真空吸着ハンドに関するものであり、その真空吸着ハンドは荷役物運搬機の先端に取り付けられ、特に自動車関連の組立ラインで用いられる。
【背景技術】
【０００２】
　吸着パッドのみを備え、荷役物を吸着する真空吸着ハンドがある。荷役物の吸着場所が広く、単に荷役物を吸着するだけの場合は、荷役物の吸着面の位置合わせは、曖昧でも対応でき実用上十分であった。
【０００３】
　しかし、荷役物の中心に正確に吸着パッドを位置合わせする必要がある場合には困難であった。また、吸着パッド面が固定されているので容易に吸着パッドは回転せず、荷役物の嵌合作業はやり辛いものとなっていた。
【特許文献１】実開平３−６９３１５号公報
【考案の開示】
【考案が解決しようとする課題】
【０００４】
　解決しようとする問題点は、吸着面の位置合わせの作業性と、荷役物の嵌合作業の作業性である。
【課題を解決するための手段】
【０００５】
　テーパ部を有するガイド穴を設け、吸着パッドにはリングを嵌装し、吸着パッドが軸着され、嵌合作業時には吸着パッドが揺動することを特徴とする。
【考案の効果】
【０００６】
　本考案の真空吸着ハンドは、ガイド穴がある為、吸着面の位置合わせの作業性が優れており、また、吸着パッドが揺動する為、荷役物の嵌合作業の作業性が優れているという利点がある。
【考案を実施するための最良の形態】
【０００７】
　テーパ形状を有するガイド穴を設け、吸着パッドにはリングを嵌装し、吸着パッドが軸着され、嵌合作業時には該吸着パッドが揺動することで、吸着面の位置合わせの作業性と、荷役物の嵌合作業の作業性が優れていることを実現した。
【実施例１】
【０００８】
　図１は、真空吸着ハンドが取り付けられた荷役物運搬機の総体図である。天井固定タイプの荷役物運搬機１に、反転機構２を介して真空吸着ハンド３が取り付けられている。真空吸着ハンド３で荷役物４を吸着して移載される。荷役物運搬機１は作業者５が操作するが、自動機でも良い。
【０００９】
　図２は、真空吸着ハンドの斜視図である。反転機構２に、ステー６が取り付けられている。ステー６には、ボックス７が取り付けられている。ボックス７には、ハンドル８が取り付けられている。ボックス７内部には、ベアリング（図示せず）を備えている。吸着パッド９は、軸部１０（図３で表示）を有した金具１１（図３で表示）で固定されている。金具１１には、ガイド穴１２を備えている。軸部１０がボック７ス内部のベアリングに挿入されているので、吸着パッド９が回転する。反転機構２により、吸着パッド９の面を、下向きに反転する事が可能である。反転する場合は、作業者５がハンドル８を握り操作する。
【００１０】
図３は、真空吸着ハンドの側面図である。２、６〜９、１２は、図２と同様である。吸着パッド９は、軸部１０を有した金具１１で固定されている。
【００１１】
図４及び図５及び図６は、吸着パット９及び、ガイド穴１２の断面図である。４、７、９〜１２は、図２及び図３と同様である。ガイド穴１２を有した金具１１に吸着パッド９が取り付けられている。ガイド穴１２には、テーパ部１３が設けられている。また、吸着パット９の内側には、硬質のリング１４が嵌装されている。図４及び図５及び図６を用いて、荷役物４の吸着の作用を説明する。図４の状態は、荷役物４を吸着する前である。図４の状態から吸着パッド９を荷役物４に近づける。作業者５が操作するので、狙い位置の中心からずれてしまう。そのずれた状態が、図５である。図５の状態では、荷役物４の凸部１５がテーパ部１３と接触した状態である。図５の状態から更に吸着パッド９を荷役物４に近づけると、凸部１５がテーパ部１３の効果で固定部１６にスムースに導かれ、荷役物４の中心に吸着パッド９を吸着させる事ができる。図６が、荷役物４の吸着が完了した図である。吸着時には、固定部１６に凸部１５が嵌まり込む為、固定部１６は荷役物４のずれ防止の効果がある。吸着時は真空力により吸着パット９の外形が内側に入り込もうとするが、硬質のリング１４により吸着パット９の外形が内側に入り込まない様にする効果がある。
【００１２】
図７は、真空吸着ハンドの側面図である。２、６〜１２は、図３と同様であり、反転機構２により吸着パッド９面を下向きにした状態である。また、図６の状態である。軸部１０がボックス７内部のベアリングに挿入されているので、吸着パッド９が回転する。
【００１３】
図８は、真空吸着ハンドの側面図である。２、６〜１２は、図３と同様である。図７の状態から、作業者５がハンドル８を握り、反転機構２で荷役物４を反転すると図８の状態となる。固定部１６は、荷役物４の前倒れ防止とずれ防止の効果がある。ガイド穴１２の荷役物４との接触により、荷役物４の前倒れ防止の効果がある。軸部１０がボックス７内部のベアリングに挿入されているので、吸着パッド９が回転する。また、吸着パッド９は、荷役物運搬機１のアームや吸着パッド９のゴムの撓みで、矢印１７の様に揺動する。例えば、揺動機構をステー６とボックス７の間や、反転機構２とステー６との間や、反転機構２の上側に取り付けることでも、吸着パッド９は揺動可能である。その揺動で荷役物４が他の部品との嵌合作業が容易になる。位置合わせ機能をパットに内蔵することで、コンパクトとなり、荷役物の視認性が改善され、作業性が向上する。
【図面の簡単な説明】
【００１４】
【図１】荷役物運搬機に真空吸着ハンドが取り付けられた総体図である。
【図２】真空吸着ハンドの斜視図である。
【図３】真空吸着ハンドの側面図である。
【図４】吸着パット及び、ガイド穴の断面図である。
【図５】吸着パット及び、ガイド穴の断面図である。
【図６】吸着パット及び、ガイド穴の断面図である。
【図７】真空吸着ハンドの側面図である。
【図８】真空吸着ハンドの側面図である。
【符号の説明】
【００１５】
１　　荷役物運搬機
２　　反転機構
３　　真空吸着ハンド
４　　荷役物
５　　作業者
６　　ステー
７　　ボックス
８　　ハンドル
９　　吸着パッド
１０　軸部
１１　金具
１２　ガイド穴
１３　テーパ部
１４　リング
１５　凸部
１６　固定部
【図１】
0003100277.tif 000003
【図２】
0003100277.tif 000004
【図３】
0003100277.tif 000005
【図４】
0003100277.tif 000006
【図５】
0003100277.tif 000007
【図６】
0003100277.tif 000008
【図７】
0003100277.tif 000009
【図８】
0003100277.tif 000010
(57)【要約】
　【課題】定置物を載置する箇所を簡単且つ容易に測定でき、しかも、定置物を載置した際の状況が想像できる定置物の測定具を提供する事を目的とする。
　【解決手段】定置物の平面形状にシート状部材を形成し、このシート部材に前記定置物の図柄を記載するとともに、前記シート状部材を折り畳み可能にした。
　【選択図】　図1
0003100272.tif 000002
【実用新案登録請求の範囲】
【請求項１】
　定置物の平面形状にシート状部材を形成し、このシート部材に前記定置物の図柄を記載するとともに、前記シート状部材を折り畳み可能にしたことを特徴とする定置物の測定具。
【考案の詳細な説明】
【技術分野】
【０００１】
　本考案は、定置物を載置する際、予めその定置物の形状を測定する事ができる定置物の測定具に関する。
【背景技術】
【０００２】
　通常、定置物を載置する際、特許文献１に示す様に、メジャーにより、定置物の平面形状を測定し、定置物を載置する箇所をメジャーで測定し、定置物を載置できるか否かを判断して、定置物を載置している。
【０００３】
【特許文献１】実用新案登録第２５０９７２８号公報
【考案の開示】
【考案が解決しようとする課題】
【０００４】
　この様に、定置物を載置する際には、メジャーにより定置物の平面形状を測定し、定置物を載置する箇所をメジャーで測定して定置物を載置できるか否かを判断しなければならず、メジャーでの測定が煩雑である。
【０００５】
　また、定置物を載置する箇所をメジャーで測定しても、定置物を載置した際の状況が想像できず、実際に定置物を載置した際には、期待どうりの定置物の載置状態とならない虞もある。
【０００６】
　そこで、本考案は、定置物を載置する箇所を簡単且つ容易に測定でき、しかも、定置物を載置した際の状況が想像できる定置物の測定具を提供する事を目的とする。
【課題を解決するための手段】
【０００７】
　かかる目的を図るための本考案にかかる定置物の測定具は、定置物の平面形状にシート状部材を形成し、このシート部材に前記定置物の図柄を記載するとともに、前記シート状部材を折り畳み可能にしたことを特徴とする。
【考案の効果】
【０００８】
　本考案によれば、定置物の平面形状にシート状部材を形成しているので、定置物を載置する箇所に、このシート状部材を置くことにより、簡単に定置物を載置できるか否が測定できる。
【０００９】
　このシート部材に定置物の図柄を記載しているので、定置物を載置した際の状況が想像でき、期待どうりの定置物の載置状態となる。
【００１０】
　シート状部材は折り畳み可能であるので、持ち運びが便利である。
【考案を実施するための最良の形態】
【００１１】
本考案の一実施例を図１乃至図５により説明する。
【００１２】
　図１,２に示す実施例１で、定置物、例えばベッドの測定具１は、シート状からなり、ベッドの平面形状からなっている。
【００１３】
　そして、その片面１ａには、シーツ、枕を備えたベッドの平面図が記載されている。
　なお、図示の裏面１ｂにも、同様な平面図を記載する事もでき、片面１ａだけ、片面１ａと裏面１ｂ、平面図を記載はいずれであってもよい。
【００１４】
　片面１ａの縦方向、横方向には長さ単位（ｃｍ）が記載されている。この測定具１はベッドの所定の形状からなっているので、長さ単位（ｃｍ）の記載がない場合でも良い。
【００１５】
　この測定具１は、図２に示す様に、折り畳み可能で、さらに、小さく折り畳むことができ、図１に示す様に、広げることにより、ベッドを載置する箇所に、この測定具１を置き、簡単にベッドを載置できるか否が測定できる。
【００１６】
　図３は、本考案の実施例２であり、実施例１と構成は同じであるが、測定具１の片面１ａには、一回り小形のベッドを測定する為の点線１ｃが記載され、２種類のベッドを測定することができるようになっている。
【００１７】
　一回り小形のベッドを測定するには、点線１ｃを境として、それより先端を折り曲げると、一回り小形のベッド形状となり、一回り小形のベッドを測定することができる。
【００１８】
　図３では、一回り小形のベッドを測定する場合につき説明しているが、更に小型のベッドを測定するには、図示の点線１ｃと同様に、更に、点線を記載すれば、更に小型のベッドを測定することができ、複数種類のベッド形状の点線を記載すれば、１枚の測定具１で複数種類のベッドを簡単に測定できる。
【００１９】
　図４は本考案の実施例３であり、複数種類のベッド形状からなるシート状部材２，３，４，５を重ね、全シート状部材２，３，４，５の孔６にリング７を通してなる。
【００２０】
　ベッドの大きさにより、所定のシート状部材２，３，４，５を広げると、複数種類のベッドを簡単に測定することができる。
【００２１】
　図５は本考案の実施例４であり、縦方向の端部９と横方向の端部８とが巻回してなり、ベッド形状に応じて、端部８，９を外側に広げると、拡大部８ａ、９ａとなり、更に、端部８，９を外側に広げると、拡大部８ｂ・・、９ｂ・・となり、4種類のベッドを測定できる。
【００２２】
　図示１０は端部重畳防止切欠部で、端部８，９を外側に広げた際、端部８，９同士が重なることを防止するとともに、端部９、端部８が巻回した際、端部９、端部８同士が引っ掛からにようにしている。
【００２３】
　上記ではベッドの形状を測定する場合につき説明したが、例えば、大型の冷蔵庫、車、たんす等にも利用することができる。
【図面の簡単な説明】
【００２４】
【図１】本考案にかかる第一実施例を示す斜視図である。
【図２】図1に示す測定具を折り畳んだ際の斜視図である。
【図３】本考案にかかる第2実施例を示す斜視図である。
【図４】本考案にかかる第３実施例を示す斜視図である。
【図５】本考案にかかる第４実施例を示す斜視図である。
【符号の説明】
【００２５】
　１　測定具
【図１】
0003100272.tif 000003
【図２】
0003100272.tif 000004
【図３】
0003100272.tif 000005
【図４】
0003100272.tif 000006
【図５】
0003100272.tif 000007